(57)【要約】【課題】  筆記具使用時において、長時間の筆記作業を円滑に持続し、被筆記体に触れる手掌部分への汚れを防ぎ、筆記による手の疲労感や痛みを解消する、筆記補助具を提供する。【解決手段】  表面が弱粘着層を設けた軟質素材、裏面が低摩擦素材からなる手下敷本体と、前記手下敷本体の一辺に刷毛部を設け、片側に開閉して前記手下敷本体を収納する収納ケースと、前記収納ケースの外部にツボ刺激用凸部を設けた筆記補助具。【選択図】図１
2010228433.tif 000002
【特許請求の範囲】
【請求項１】
表面が弱粘着層を設けた軟質素材、裏面が低摩擦素材からなる手下敷本体と、前記手下敷本体の一辺に刷毛部を設け、片側に開閉して前記手下敷本体を収納する収納ケースと、前記収納ケースの外部にツボ刺激用凸部を設けた筆記補助具。
【発明の詳細な説明】
【技術分野】
【０００１】  本発明は、筆記具使用時において、長時間の筆記作業を円滑に持続し、被筆記体に触れる手掌部分への汚れを防ぎ、筆記による手の疲労感や痛みを解消することを特徴とする筆記補助具に関するものである。
【背景技術】
【０００２】  鉛筆などの筆記具を用いて長時間板書したり繰り返し文字練習をする際、被筆記体に書いた文字と手掌部分が擦れて汚れたり、また長時間の筆記作業で手が疲れることがあった。【０００３】  これまでに、被筆記体に触れる手掌の汚れを防ぐことを目的とした筆記補助具や、筆記操作の利便性や簡便性をはかるための筆記補助具において結果的に手掌部分の汚れを防ぐことが可能である筆記補助具は多数存在する（例えば、特許文献１〜３参照。）。
さらに、筆記作業を円滑にするため、被筆記体との接触面積を小さくしたものや、球体を用いて被筆記体と手掌の摩擦抵抗をできる限り小さくするものが開発されている（例えば、特許文献４、５参照。）。
また、手掌が接する部分に軟質素材を用いることにより手圧を緩和させるものが開発されている（例えば、特許文献６、７参照。）。
【先行技術文献】
【特許文献】
【０００４】
【特許文献１】  実開昭５６−２６２９５号  公報
【特許文献２】  実開昭６１−５６９１号  公報
【特許文献３】  実用新案登録  第３１３３１６３号
【特許文献４】  実用新案登録  第３０８２５９６号
【特許文献５】  実開平６−４９０９７号  公報
【特許文献６】  実開昭５６−３３６９５号  公報
【特許文献７】  実開昭５６−１２５３９８号  公報
【発明の概要】
【発明が解決しようとする課題】
【０００５】  しかし、従来の筆記補助具には次のような問題点があった。【０００６】  従来の手掌部分の汚れを防ぐための手下敷や筆記補助具は、被筆記体と手掌部分が接する面積に合わせた複雑な形状であり、不特定多数の手の大きさや利き手などに対応するには不向きである。【０００７】  また、筆記補助具を筆記の動きに連動させるため筆記補助具本体にリングや突起物を設けており、手に保持させるための力が加わるため、通常の筆記よりも手に負担がかかりやすくなる。【０００８】  手掌部分との接触面をシール状にして貼り付けるものは、筆記作業は円滑になるが着脱により粘着性が衰えるため、使い捨てあるいは早い段階での交換が必要となり不経済である。【０００９】  筆記操作の利便性や簡便性をはかるための筆記補助具は、片手でも書けるように被筆記体を押さえる面積が広く設けられていたり、被筆記体がずれないよう接触面に滑り止めが施されているため、筆記の動きに連動させるには被筆記体との摩擦が大きく、板書や文字練習など円滑な筆記を目的とする場合には不向きである。また、押さえるという目的のため形状が大きなものが多く、持ち運びや収納には不便である。【００１０】  手掌部分が接する面に軟質素材を用いることにより筆記する際の手圧が緩和できるが、従来の軟質素材を使用した筆記補助具は滑り止めが施されており、被筆記体との摩擦抵抗が大きく、筆記補助具を動かすための力や動作が必要となり、手への負担が増える。【００１１】  本発明は以上の問題点を解決しようとするものであり、長時間の筆記作業における手掌部分の汚れ防止や円滑な筆運びに加え、手の疲れや痛みを解消することを目的とするものである。
【課題を解決するための手段】
【００１２】  表面が弱粘着層を設けた軟質素材、裏面が低摩擦素材からなる手下敷本体と、前記手下敷本体の一辺に刷毛部を設ける。また、片側に開閉して前記手下敷本体を収納する収納ケースと、前記収納ケースの外部にツボ刺激用凸部を設ける。以上を特徴とする筆記補助具である。
【発明の効果】
【００１３】  本発明の筆記補助具は、手下敷本体に手掌部分を置いて筆記する際、手下敷本体表面の弱粘着層と手掌部分との圧吸着と、手下敷本体裏面の低摩擦を利用することにより被筆記体上をスムーズに移動できるため、長時間の筆記作業を円滑に持続し、かつ被筆記体に触れる手掌部分の汚れを防止することができる。また、手下敷本体の一辺に刷毛部を設けることで、被筆記体上の塵や消しカスを払い、手下敷本体の低摩擦を維持する。さらに、手下敷本体を収納する収納ケースは、手下敷本体の弱粘着層と低摩擦面を保護することができ、収納ケース外部に設けたツボ刺激用凸部により筆記作業の途中や終了後に手掌部分の疲れや痛みを解消することができる。
【図面の簡単な説明】
【００１４】
【図１】本発明の手下敷表面平面図
【図２】本発明の手下敷の図１におけるＡ−Ａ線断面図
【図３】本発明の手下敷裏面平面図
【図４】本発明の収納ケース内部に手下敷を収納した状態を示す平面図
【図５】本発明の収納ケース外部平面図
【図６】本発明の手下敷の使用状態を示す斜視図
【図７】本発明の収納ケースの開閉部を閉じた状態を示す斜視図
【図８】本発明の収納ケース外部ツボ刺激用凸部の使用状態を示す斜視図
【発明を実施するための形態】
【００１５】  以下、本発明の実施の形態を図１〜図８に基づいて説明する。
【００１６】  本発明の筆記補助具は、手下敷本体（１）と収納ケース（２）からなる。
手下敷本体（１）は、図１のように一辺が中央にくぼみ（３）のある形状で、手下敷本体（１）の表面には繰り返し再生可能な弱粘着層（４）を設けた軟質素材（５）、例えばポリ塩化ビニルを用い、手下敷本体（１）の裏面には低摩擦素材（６）、例えば超高分子量ポリエチレンやフッ素樹脂を用いる。手下敷本体（１）の厚みは、筆記時の書きやすさと手圧の緩和の双方を考慮し、１〜３ｍｍが好ましい。また、手下敷本体（１）に刷毛部（７）、例えばナイロン製のブラシを設ける。刷毛部（７）は手下敷本体（１）のいずれの辺に設けてもよく、刷毛部（７）の素材はブラシの他、羽やスポンジ、シリコンなどを使用してもよい。
収納ケース（２）には、マッサージ時の手圧に耐え、携帯に無理のない重さの素材を用い、片側に開閉するための開閉部（８）を設ける。開閉部（８）は面ファスナーの他、磁石や凹凸を利用した閉じ具であってもよい。また、収納ケース（２）の外部片面に図５のような大小のツボ刺激用凸部（９）を設ける。ツボ刺激用凸部（９）には遠赤外線効果のある粒子を混ぜた層や軟質シリコンを被せてもよい。
【００１７】  本発明は以上の構成よりなる。
本発明を使用するときは、収納ケース（２）から手下敷本体（１）を取り出し、図６のように手掌部分を手下敷本体（１）の表面に乗せて筆記作業を行う。上記構成にすることで手下敷本体（１）の表面よりも裏面の摩擦が小さくなり、リングや突起物を設けることなく被筆記体上を円滑に移動でき、手掌部分の汚れを防ぐことができる。
また、手掌部分をマッサージするときは、収納ケース（２）の開閉部（８）を閉じ、図８のように収納ケース（２）の外部面に設けたツボ刺激用凸部（９）の上に手掌部分や指を乗せて上下左右に動かして使用し、手の疲れや痛みを解消する。
【符号の説明】
【００１８】      １  手下敷本体
２  収納ケース
３  くぼみ
４  弱粘着層
５  軟質素材
６  低摩擦素材
７  刷毛部
８  開閉部
９  ツボ刺激用凸部
【図１】
2010228433.tif 000003
【図２】
2010228433.tif 000004
【図３】
2010228433.tif 000005
【図４】
2010228433.tif 000006
【図５】
2010228433.tif 000007
【図６】
2010228433.tif 000008
【図７】
2010228433.tif 000009
【図８】
2010228433.tif 000010